(57)【要約】【課題】ジャッキング機構を提供する。【解決手段】産業設備のためのジャッキング機構（１０）は、産業設備製品の第１のケーシング半体（２０）のケーシング孔（１８）内に固定可能なインサート（１２）と、インサート（１２）内に挿入可能なジャックボルト（２４）とを含む。ジャックボルト（２４）は、インサートネジ部と噛合い可能なジャックボルトネジ部（２６）と、ジャックボルト（２４）に固定された支持先端部（３４）とを含む。インサート（１２）を通してジャックボルト（２４）を前進させると、支持先端部（３４）が第２のケーシング半体（３２）と接触して第１のケーシング半体（２０）を第２のケーシング半体（３２）に対して移動させる。産業設備のためのジャッキングシステムは、第１のケーシング半体（２０）及び第２のケーシング半体（３２）間のギャップを均一に変化させるように構成された複数のジャッキング機構を含む。【選択図】      図１
2012117526.tif 000002
【特許請求の範囲】
【請求項１】
産業設備のためのジャッキング機構（１０）であって、当該ジャッキング機構（１０）が、
産業設備製品の第１のケーシング半体（２０）のケーシング孔（１８）内に固定可能なインサート（１２）と、
前記インサート（１２）内に挿入可能なジャックボルト（２４）と
を含んでおり、前記ジャックボルト（２４）が、
インサートネジ部と噛合い可能なジャックボルトネジ部（２６）と、
該ジャックボルト（２４）に固定された支持先端部（３４）と
を含んでいて、前記インサート（１２）を通して前記ジャックボルト（２４）を前進させると、前記支持先端部（３４）が第２のケーシング半体（３２）と接触して第１のケーシング半体（２０）を第２のケーシング半体（３２）に対して移動させる、ジャッキング機構（１０）。
【請求項２】
前記支持先端部（３４）が、ボールベアリング又はニードルベアリングの１つである、請求項１記載のジャッキング機構（１０）。
【請求項３】
前記インサート（１２）が、前記ケーシング孔（１８）内に配置されたケーシングネジ部（１６）と噛合い可能な外側ネジ部（１４）を含む、請求項１記載のジャッキング機構（１０）。
【請求項４】
前記ジャックボルトネジ部（２６）が、ＡＣＭＥネジプロフィールを有する、請求項１記載のジャッキング機構（１０）。
【請求項５】
前記ジャックボルト（２４）が、駆動形状部を有するヘッドを含む、請求項１記載のジャッキング機構（１０）。
【請求項６】
産業設備ケーシングのためのジャッキングシステムであって、
産業設備製品の第１のケーシング半体（２０）に配置されかつ第１のケーシング半体（２０）及び第２のケーシング半体（３２）間のギャップを均一に変化させるように構成された複数のジャッキング機構（１０）を含み、前記ジャッキング機構（１０）が、
第１のケーシング半体（２０）のケーシング孔（１８）内に固定可能なインサート（１２）と、
前記インサート（１２）内に挿入可能なジャックボルト（２４）と
を含んでおり、前記ジャックボルト（２４）が、
インサートネジ部と噛合い可能なジャックボルトネジ部（２６）と、
該ジャックボルト（２４）に固定された支持先端部（３４）と
を含んでいて、前記インサート（１２）を通して前記ジャックボルト（２４）を前進させると、前記支持先端部（３４）が第２のケーシング半体（３２）と接触して第１のケーシング半体（２０）を第２のケーシング半体（３２）に対して移動させる、ジャッキングシステム。
【請求項７】
前記複数のジャッキング機構（１０）が、制御装置（４０）に作動可能に連結されて、各インサート（１２）を貫通する各ジャックボルト（２４）の前進を同期させる、請求項６記載のジャッキングシステム。
【請求項８】
各ジャックボルト（２４）が、前記インサート（１２）を貫通する該ジャックボルト（２４）の前進を駆動するモータ（３８）に作動可能に連結される、請求項６記載のジャッキングシステム。
【請求項９】
前記ジャッキング機構（１０）が、第１のケーシング半体（２０）の各コーナ部付近に配置される、請求項６記載のジャッキングシステム。
【請求項１０】
前記支持先端部（３４）が、ボールベアリング又はニードルベアリングの１つである、請求項８記載のジャッキングシステム。
【発明の詳細な説明】
【技術分野】
【０００１】
本明細書に開示した主題は、ジャックボルト特徴形状の使用による構成要素の取外しを必要とするターボ機械、ガスタービン、蒸気タービン、発電機、軸流圧縮機、遠心圧縮機、往復動圧縮機、産業用モータ、及びその他の産業装置のような産業設備に関する。
【背景技術】
【０００２】
例えばターボ機械のような産業設備の典型的な部品は、入口又はファンケーシング、圧縮機ケーシング、燃焼ケーシング、タービンケーシング、並びに排出ケーシングを含む幾つかのケーシングを有する。ケーシングは一般的に、ターボ機械の外周部の周りでセグメント化されて、一般的な構成は、ケーシングが上部半体及び下部半体を有する。ターボ機械の整備時には、多くの場合に例えば上部半体のような特定のケーシングのセグメントを取外して、ターボ機械の構成要素にアクセスすることが必要となる。ケーシングの周りで、幾つかのジャックボルトが使用される。各ジャックボルトは、一般的にはケーシングの各コーナ部に１つずつ配置されて、上部ケーシング半体のネジ孔内にねじ込まれる。ジャックボルトがネジ孔を通して前進するにつれて、ジャックボルトの端部は、下部ケーシング半体上を押圧して、それらケーシング半体を離れるように押し開く。ジャッキング操作は、多くの場合にネジ孔内部におけるジャックボルトのかじり及びシージング（焼付き）を引き起こしかつ作業者による非常に高い入力トルクを必要とする。さらに、ターボ機械の内部における隣接するケーシング又は構成要素を損傷させずにケーシング半体を持上げるためには、複数のジャックボルトを同時に前進させて、ケーシング半体を確実に水平持上げすることが必要である。この操作は、各ジャックボルトにおいて作業者により手動で行われておりまた時間が掛かりかつ費用が掛る。
【発明の概要】
【課題を解決するための手段】
【０００３】
本発明の１つの態様によると、産業設備のためのジャッキング機構は、産業設備製品の第１のケーシング半体のケーシング孔内に固定可能なインサートと、インサート内に挿入可能なジャックボルトとを含む。ジャックボルトは、インサートネジ部と噛合い可能なジャックボルトネジ部と、該ジャックボルトに固定された支持先端部とを含む。インサートを通してジャックボルトを前進させると、支持先端部が第２のケーシング半体と接触して第１のケーシング半体を第２のケーシング半体に対して移動させる。
【０００４】
本発明の別の態様によると、産業設備ケーシングのためのジャッキングシステムは、産業設備製品の第１のケーシング半体に配置されかつ第１のケーシング半体及び第２のケーシング半体間のギャップを均一に変化させるように構成された複数のジャッキング機構を含む。各ジャッキング機構は、第１のケーシング半体のケーシング孔内に固定可能なインサートと、インサート内に挿入可能なジャックボルトとを含む。ジャックボルトは、インサートネジ部と噛合い可能なジャックボルトネジ部と、該ジャックボルトに固定された支持先端部とを含む。インサートを通してジャックボルトを前進させると、支持先端部が第２のケーシング半体と接触して第１のケーシング半体を第２のケーシング半体に対して移動させる。
【０００５】
これらの及びその他の利点並びに特徴は、図面と関連させて行った以下の説明から一層明らかになるであろう。
【０００６】
本発明と見なされる主題は、本明細書と共に提出した特許請求の範囲において具体的に指摘しかつ明確に特許請求している。本発明の前述の及びその他の特徴並びに利点は、添付図面と関連させて行った以下の説明から明らかである。
【図面の簡単な説明】
【０００７】
【図１】産業設備製品のためのジャッキング機構の実施形態の断面図。
【図２】産業設備製品のためのジャッキングシステムの概略図。
【発明を実施するための形態】
【０００８】
詳細な説明では、図面を参照しながら実施例によって、本発明の実施形態をその利点及び特徴と共に説明する。
【０００９】
図１に示しているのは、例えばターボ機械、ガスタービン、蒸気タービン、発電機、軸流圧縮機、遠心圧縮機、往復動圧縮機、産業用モータ、及び同様のもののような産業設備製品のためのジャッキング機構１０の実施形態の断面図である。ジャッキング機構１０は、上部ケーシング半体２０におけるケーシング孔１８のケーシングネジ部１６と相補的な外側ネジ部１４を有する管状インサート１２を含む。ケーシングネジ部１６及び外側ネジ部１４は、例えばＵＮ型ネジのようなあらゆる好適なプロフィールのものとすることができる。幾つかの実施形態では、インサート１２は、上部ケーシング半体２０内に据付けるための六角形ヘッド２２を有する。幾つかの実施形態では、インサート１２は、かじりに対する耐性を有する強力ベアリング材料で製作される。
【００１０】
ジャックボルト２４は、インサート１２内に挿入可能でありかつインサート１２の内側ネジ部２８に係合するボルトネジ部２６を有する。ボルトネジ部２６は、ジャッキングプロセスの高荷重に耐えることができる、当業者には公知であるＡＣＭＥのようなネジプロフィールを有する。それに代えて、ボルトネジ部２６のネジプロフィールは、のこ歯、方形、又はその他の適切なネジプロフィールとすることができる。幾つかの実施形態では、ボルトネジ部２６は、例えば乾燥フィルム潤滑剤で被覆して、ネジ部の作動トルクを低下させかつかじりを減少させる。ジャックボルト２４がボルトネジ部２６によりインサート１２を通して前進すると、ジャックボルト２４のボルト先端部３０が、下部ケーシング半体３２から反力を受け、それによって下部ケーシング半体３２から上部ケーシング半体２０を持上げる。
【００１１】
幾つかの実施形態では、ジャックボルト２４は、支持先端部３４を含む。支持先端部３４は、ボルト先端部３０に固定された青銅又はその他のベアリング材料の部品をすることができ、この部品は、下部ケーシング半体３２におけるジャックボルト２４のための接触表面となる。他の実施形態では、支持先端部３４は、ボルト先端部３０に固定されたボールベアリング、ニードルベアリング又は同様のものとすることができる。支持先端部３４は、従来技術のジャックボルトと比較して上部ケーシング半体２０を持上げるのに必要なユーザによる入力トルクを減少させる。ジャックボルト２４のヘッド３６は、六角形駆動パターン、方形駆動パターン、対向する平坦面、雄形又は雌形のいずれかのような駆動特徴形状で構成して、インサート１２を通してジャックボルト２４を前進させるのを可能にさせる。
【００１２】
上部ケーシング半体２０を下部ケーシング半体３２から持上げるために、複数のジャックボルト２４が使用される。幾つかの実施形態では、１つのジャックボルト２４が、上部ケーシング半体２０の各コーナ部付近に設置される。上部ケーシング半体２０を持上げる時に、上部ケーシング半体２０を各ジャックボルト２４において均一に持上げて、隣接するケーシングとの干渉又は産業設備の構成要素に対する損傷を防止することが望ましい。幾つかの実施形態では、上部ケーシング半体２０を下部ケーシング半体３２から持上げる時に、該上部ケーシング半体２０を水平に保つのを助ける対策を行なうことができる。例えば、各ジャックボルト２４には、該ジャックボルト２４の回転数をカウントする目盛盤５０を取付けることができる。ジャックボルト２４は一定のネジピッチを有するので、様々なジャックボルト２４の等しい回転数により持上げ操作にわたって上部ケーシング半体２０が水平に維持される。同様の結果は、上部ケーシング半体２０の各コーナ部に設置されたスプリング荷重測定スティックにより、或いは色彩光、レーザ又は同様のものを使用して上部ケーシング半体２０及び下部ケーシング半体３２間の開口距離を測定することにより達成することができる。それに代えて、図２に示すように各ジャックボルト２４は、モータ３８に連結される。モータ３８は、ジャックボルト２４を前進させて上部ケーシング半体２０を持上げる。モータ３８は、制御装置４０によって同期させて、上部ケーシング半体２０を持上げる間に該上部ケーシング半体２０を水平に保つことができる。
【００１３】
幾つかの実施形態では、それらの構成要素の腐食を減少させることによって、インサート１２及びジャックボルト２４間の摩擦を低減するのが望ましい。従って、幾つかの実施形態では、インサート１２及びジャックボルト２４は、該インサート１２のためのリン青銅及びジャックボルト２４のためのステンレス鋼のような耐食性材料で形成することができる。
【００１４】
限られた数の実施形態に関してのみ本発明を詳細に説明してきたが、本発明がそのような開示した実施形態に限定されるものではないことは、容易に理解される筈である。むしろ、本発明は、これまで説明していないが本発明の技術思想及び技術的範囲に相応するあらゆる数の変形、変更、置換え又は均等な構成を組込むように改良することができる。さらに、本発明の様々な実施形態について説明してきたが、本発明の態様は説明した実施形態の一部のみを含むことができることを理解されたい。従って、本発明は、上記の説明によって限定されるものと見なすべきではなく、本発明は、特許請求の範囲の技術的範囲によってのみ限定される。
【符号の説明】
【００１５】
１０  ジャッキング機構
１２  インサート
１４  外側ネジ部
１６  ケーシングネジ部
１８  ケーシング孔
２０  上部ケーシング半体
２２  六角形ヘッド
２４  ジャックボルト
２６  ボルトネジ部
２８  内側ネジ部
３０  ボルト先端部
３２  下部ケーシング半体
３４  支持先端部
３６  ヘッド
３８  モータ
４０  制御装置
５０  目盛盤
【図１】
2012117526.tif 000003
【図２】
2012117526.tif 000004
【外国語明細書】
2012117526000001.pdf